(57)【要約】【課題】洗濯ばさみ同士、或いは、洗濯ばさみが本体と絡まることを確実に防止することができるピンチハンガーを提供すること。【解決手段】ピンチハンガー１００は、環状の本体１１２に複数の洗濯ばさみ１２０，１３０を具える。洗濯ばさみ１３０の第一つまみ部１３２ａと、第一つまみ部１３２ａに対して近位にある洗濯ばさみ１２０の第二つまみ部１２２ｂが、支点１２６，１３６よりもつまみ部１２２ａ，１２２ｂ，１３２ａ，１３２ｂ側において、連結部材１１８によって連結されているので、洗濯ばさみ１２０，１３０が単体で遊動し難く、洗濯ばさみ１２０，１３０同士、或いは、洗濯ばさみ１２０，１３０が本体１１２と絡まることを確実に防止することができる。【選択図】図１
2020069363.tif 000002
【特許請求の範囲】
【請求項１】
一端につまみ部、他端に挟み部をそれぞれ有する一対の本体部材が支点を中心に枢動可能に連結され、前記一対の挟み部が接するように付勢する弾性体を具えた洗濯ばさみが環状の本体に複数連結されているピンチハンガーにおいて、
隣り合う前記洗濯ばさみの一方の洗濯ばさみの第一つまみ部と、他方の洗濯ばさみの前記第一つまみ部に対して近位にある第二つまみ部が、前記支点よりもつまみ部側において、連結部材によって連結されていることを特徴とする、
ピンチハンガー。
【請求項２】
前記本体が、該本体の環状の内側に向けて延出する、前記連結部材によって連結されている洗濯ばさみ又は連結部材が接し得る反転防止部材を具える、請求項１のピンチハンガー。
【請求項３】
前記連結部材によって連結されている洗濯ばさみが、該連結部材を介して本体に連結され、
前記連結部材が、前記第一つまみ部と第二つまみ部を貫通し、前記第一つまみ部から前記一方の洗濯ばさみの外側下方に向かう第一傾斜部と、前記第二つまみ部から前記他方の洗濯ばさみの外側下方に向かう第二傾斜部を有する、請求項１又は２のピンチハンガー。
【発明の詳細な説明】
【技術分野】
【０００１】
本発明は、複数の洗濯ばさみを具えるピンチハンガーに関する。
【背景技術】
【０００２】
ピンチハンガーは、環状の本体に複数の洗濯ばさみを具えるものであり、複数のタオル類や衣類を同時に干せるので便利であるが、洗濯ばさみ同士、或いは、洗濯ばさみが本体と絡まり易いという問題点もある。この問題点を解決しようとする改良がこれまでに種々なされており、その例として以下のようなものがある。
【先行技術文献】
【特許文献】
【０００３】
【特許文献１】実開平５−１４９２号公報
【特許文献２】実開平５−５１２９０号公報
【特許文献３】実登３０２９１０３号公報
【特許文献４】特開２００７−５７５号公報
【特許文献５】特開２００６−３４１０５３号公報
【０００４】
特許文献１及至４は、洗濯ばさみの一対のつまみ部の連結部材を設け、その連結部材を本体に取付けるという基本的に同じ技術的思想のものである。
【０００５】
特許文献５には、洗濯ばさみの一対のつまみ部を連結するガードを設けた構造が開示されている。
【０００６】
特許文献１及至５によれば、洗濯ばさみ同士が絡まることを防止できるとされているが、個々の洗濯ばさみが遊動するので、依然として洗濯ばさみ同士、或いは、洗濯ばさみが本体と絡まる可能性がある。
【発明の概要】
【発明が解決しようとする課題】
【０００７】
そこで、本発明は、洗濯ばさみ同士、或いは、洗濯ばさみが本体と絡まることを確実に防止することができ、さらには、挟み部の挟持力を高めることができるピンチハンガーを提供することをその目的とする。
【課題を解決するための手段】
【０００８】
本発明は、一端につまみ部、他端に挟み部をそれぞれ有する一対の本体部材が支点を中心に枢動可能に連結され、一対の挟み部が接するように付勢する弾性体を具えた洗濯ばさみが環状の本体に複数連結されているピンチハンガーにおいて、
隣り合う洗濯ばさみの一方の洗濯ばさみの第一つまみ部と、他方の洗濯ばさみの第一つまみ部に対して近位にある第二つまみ部が、支点よりもつまみ部側において、連結部材によって連結されていることを特徴とするピンチハンガーによって前記課題を解決した。
【発明の効果】
【０００９】
本発明によれば、隣り合う洗濯ばさみのつまみ部同士が連結部材によって連結されているので、洗濯ばさみが単体で遊動し難く、洗濯ばさみ同士、或いは、洗濯ばさみが本体と絡まることを確実に防止することができる。
【００１０】
また、本体が、本体の環状の内側に向けて延出する、連結部材によって連結されている洗濯ばさみ又は連結部材が接し得る反転防止部材を具える構成とするのがよい。この構成により、連結部材によって連結されている洗濯ばさみが、本体に対する一方の側に必ず垂れ下がる。洗濯ばさみの反対側への移動を、反転防止部材が洗濯ばさみ又は連結部材に引っ掛かることによって防止するからである。
【００１１】
また、連結部材によって連結されている洗濯ばさみが、連結部材を介して本体に連結され、連結部材が、第一つまみ部と第二つまみ部を貫通し、第一つまみ部から一方の洗濯ばさみの外側下方に向かう第一傾斜部と、第二つまみ部から他方の洗濯ばさみの外側下方に向かう第二傾斜部を有する構成とするのが好適である。挟み部に挟んでいる洗濯物の重さにより、第一つまみ部が第一傾斜部を、第二つまみ部が第二傾斜部をそれぞれ下り、結果として、挟み部の挟持力を高めることができるからである。
【図面の簡単な説明】
【００１２】
【図１】本発明の第一実施形態のピンチハンガーの要部拡大図。
【図２】本発明の第二実施形態のピンチハンガーの一部斜視図。
【図３】本発明の第三実施形態のピンチハンガーの要部拡大図。
【図４】本発明の第四実施形態のピンチハンガーの要部拡大図。
【発明を実施するための形態】
【００１３】
以下、本発明の実施形態を図１〜４を参照して説明する。但し、本発明はこれらの実施形態に限定されるものではない。なお、本明細書において、上方向（上方ともいう。）とは、ピンチハンガーの使用時における直上方向であり、下方向（下方ともいう。）とは、ピンチハンガーの使用時における垂下方向である。また、洗濯ばさみの内側とは、一対の本体部材が対向する側であり、外側とは、その逆側である。
【００１４】
図１は、本発明の第一実施形態のピンチハンガー１００を示す。ピンチハンガー１００は、環状の本体１１２に複数の洗濯ばさみ１２０，１３０，１４０，１５０を具える。なお、ピンチハンガーの基本的な構成は周知であるため、ピンチハンガー自体の説明及び全体の図示は省略する。
【００１５】
本体１１２は、一方の側、すなわち、ピンチハンガー１００の使用時に下側（垂下方向。以下同じ。）になる側に複数の取付部１１４，１１６を有している。取付部１１４，１１６には、それぞれ、取付部材１１５，１１７を介して洗濯ばさみ１２０，１３０が取付けられている。なお、洗濯ばさみ１４０，１５０も同様にして本体１１２に取付けられている。
【００１６】
洗濯ばさみ１２０は、一端に第一つまみ部１２２ａ，第二つまみ部１２２ｂ、他端に挟み部１２４ａ，１２４ｂをそれぞれ有する一対の本体部材１２１ａ，１２１ｂが支点１２６を中心に枢動可能に連結され、一対の挟み部１２４ａ，１２４ｂが接するように付勢する弾性体１２８を具えている。他の洗濯ばさみ１３０，１４０，１５０も同様の構成を有している。
【００１７】
ピンチハンガー１００では、洗濯ばさみ１３０の第一つまみ部１３２ａと、第一つまみ部１３２ａに対して近位にある洗濯ばさみ１２０の第二つまみ部１２２ｂが、支点１２６，１３６よりもつまみ部１２２ａ，１２２ｂ，１３２ａ，１３２ｂ側において、連結部材１１８によって連結されている。連結部材１１８は、第一つまみ部１３２ａと第二つまみ部１２２ｂを貫通する棒状の部材である。なお、棒状の部材に替えて、環状の部材や、バンド状の部材を用いてもよく、連結部材がつまみ部を貫通していない構成とすることも可能である。連結部材１１８によって連結するのは、洗濯ばさみ１２０，１３０のように隣合う洗濯ばさみのつまみ部である。なお、同様にして、洗濯ばさみ１２０と１４０、洗濯ばさみ１３０と１５０もそれぞれ連結されている。
【００１８】
このように、本発明では、隣り合う洗濯ばさみ１２０，１３０のつまみ部１２２ｂ，１３２ａが連結部材１１８によって連結されているので、洗濯ばさみ１２０，１３０が単体で遊動し難く、洗濯ばさみ１２０，１３０同士、或いは、洗濯ばさみ１２０，１３０が本体１１２と絡まることを確実に防止することができる。なお、ピンチハンガー１００に取付けられている全ての洗濯ばさみが、他のいずれかの洗濯ばさみと連結されていることが好ましい。
【００１９】
図２は、本発明の第二実施形態のピンチハンガー２００を示している。ピンチハンガー２００は、上記に説明したピンチハンガー１００と同様の基本的構成を有し、洗濯ばさみ１２０と１３０が連結部材１１８によって連結されている。なお、便宜上、ピンチハンガー２００の本体２１２の一部と、本体２１２に取付けられている複数の洗濯ばさみの図示は省略している。
【００２０】
ピンチハンガー２００では、本体２１２が反転防止部材２１１を具えている。反転防止部材２１１は、本体２１２の環状の内側に向けて延出する部材であり、連結部材１１８によって連結されている洗濯ばさみ１２０，１３０又は連結部材１１８が遊動したときに接し得る部材である。
【００２１】
本構成によれば、反転防止部材２１１が洗濯ばさみ１２０，１３０又は連結部材１１８に引っ掛かるので、洗濯ばさみ１２０，１３０がピンチハンガー２００の上方へ移動することを防止することができる。すなわち、洗濯ばさみ１２０，１３０が、ピンチハンガー２００の下方へ必ず垂れ下がるので便利である。  
【００２２】
図３は、本発明の第三実施形態のピンチハンガー３００の要部拡大図である。ピンチハンガー３００では、洗濯ばさみ３３０の第一つまみ部３３２ａと洗濯ばさみ３２０の第二つまみ部３２２ｂが円環状の連結部材３１８が貫通することによって連結されている。同様にして、洗濯ばさみ３２０の第一つまみ部３２２ａ、洗濯ばさみ３３０の第二つまみ部３３２ｂも、隣合う洗濯ばさみ（図示省略）のつまみ部、或いは、隣合う洗濯ばさみが存在しない場合には本体３１２と連結部材３１８を介して連結されている。連結部材３１８では、ピンチハンガー３００の本体３１２の取付部３１４に取付リング３１９で連結されている。すなわち、ピンチハンガー３００では、洗濯ばさみ３２０，３３０は、連結部材３１８を介して本体３１２に連結されている。なお、取付リング３１９を設けずに、連結部材３１８を取付部３１４に連結させることもできる。
【００２３】
連結部材３１８は、第一つまみ部３２２ａ，３３２ａから洗濯ばさみ３２０，３３０の外側下方に向かう第一傾斜部３１８ｂと、第二つまみ部３２２ｂ，３３２ｂから洗濯ばさみ３２０，３３０の外側下方に向かう第二傾斜部３１８ａを有する。
【００２４】
本構成とすることにより、洗濯ばさみ３２０，３３０の挟み部３２４ａ，３２４ｂ，３３４ａ，３３４ｂに挟んでいる洗濯物（図示省略）の重さにより、第一つまみ部３２２ａ，３３２ａが第一傾斜部３１８ｂを、第二つまみ部３２２ｂ，３３２ｂが第二傾斜部３１８ａをそれぞれ下ろうとする。その結果、第一つまみ部３３２ａ，３３２ｂが洗濯ばさみ３３０の外側に、第二つまみ部３２２ｂ，３２２ａが洗濯ばさみ３２０の外側にそれぞれ広がろうとする。かくして、支点３３６，３２６を介して、挟み部３３４ａ，３２４ｂに対し、洗濯ばさみ３２０，３３０の内側に向かう力を付与するので洗濯ばさみ３２０，３３０の挟持力を高めることができ、洗濯物の落下を防ぐことができる。
【００２５】
図４に示すピンチハンガー４００の連結部材４１８のように、四角形の環状としても連結部材４１８に第一傾斜部４１８ｂ及び第二傾斜部４１８ａを具えさせることができる。これにより、ピンチハンガー３００と同様の効果を奏することができる。
【００２６】
本発明は、公知のピンチハンガーに適用することができ、例えば、本体が折り畳めるものと折り畳めないもののいずれにも適用することができる。
【００２７】
以上に説明したように、本発明によれば、洗濯ばさみ同士、或いは、洗濯ばさみが本体と絡まることを確実に防止することができ、さらには、挟み部の挟持力を高めることができるピンチハンガーを提供することができる。
【符号の説明】
【００２８】
１００，２００，３００，４００  ピンチハンガー
１１２，２１２，３１２，４１２  本体
１１８，３１８，４１８  連結部材
１２０，１３０，１４０，１５０，３２０，３３０，４２０，４３０  洗濯ばさみ
１２１ａ，１２１ｂ，１３１ａ，１３１ｂ，３２１ａ，３２１ｂ，３３１ａ，３３１ｂ，４２１ａ，４２１ｂ，４３１ａ，４３１ｂ  本体部材
１２２ａ，１２２ｂ，１３２ａ，１３２ｂ，３２２ａ，３２２ｂ，３３２ａ，３３２ｂ，４２２ａ，４２２ｂ，４３２ａ，４３２ｂ  つまみ部
１２４ａ，１２４ｂ，１３４ａ，１３４ｂ，３２４ａ，３２４ｂ，３３４ａ，３３４ｂ，４２４ａ，４２４ｂ，４３４ａ，４３４ｂ  挟み部
１２６，１３６，３２６，３３６，４２６，４３６  支点
１２８，１３８，３２８，３３８，４２８，４３８  弾性体
２１１    反転防止部材
３１８ａ，３１８ｂ，４１８ａ，４１８ｂ  傾斜部
【図１】
2020069363.tif 000003
【図２】
2020069363.tif 000004
【図３】
2020069363.tif 000005
【図４】
2020069363.tif 000006